(57)【要約】【課題】清掃能力が高く、汎用性も高い乗客コンベア用オイルパン清掃機を提供する。【解決手段】板状の中間体１０と、中間体１０の一端に回動可能に設けられた支持部材１１と、中間体１０の他端に設けられた鈍角のくの字型形状の弾性板１２と、弾性板１２の下端部の両側端に設けられた折り返し部１３とを備え、支持部材１１を乗客コンベア１、１４の踏段３に取り付けると共に、中間体１０を踏段３の進行方向に向って延在させ、かつ弾性板１２の下端部をオイルパン５に摺接させて走行させるようにした。【選択図】図７
2010006558.tif 000002
【特許請求の範囲】
【請求項１】
無端状に連結された踏段鎖に踏段が取り付けられた無端状コンベアを周回走行させることにより、前記踏段上の乗客を搬送する乗客コンベアの下側に沿って延設されたオイルパン上に堆積した塵埃を清掃するための乗客コンベア用オイルパン清掃機において、板状の中間体と、前記中間体の一端に回動可能に設けられた支持部材と、前記中間体の他端に設けられたくの字型形状の弾性板と、前記弾性板の下端部の両側端に設けられた起立片とを備え、前記支持部材を前記踏段に取り付けると共に、前記中間体を前記踏段の進行方向に向って延在させ、かつ前記弾性板の下端部を前記オイルパンに摺接させて走行させるようにしたことを特徴とする乗客コンベア用オイルパン清掃機。
【請求項２】
請求項１記載の乗客コンベア用オイルパン清掃機において、前記起立片が前記弾性体の下端部の両側端を折り曲げて形成した折り返し部であることを特徴とする乗客コンベア用オイルパン清掃機。
【請求項３】
請求項１記載の乗客コンベア用オイルパン清掃機において、前記支持部材を前記踏段の幅寸法の半分以下に設定し、前記支持部材を１台の前記踏段に対して複数取り付け可能にしたことを特徴とする乗客コンベア用オイルパン清掃機。
【請求項４】
請求項１記載の乗客コンベア用オイルパン清掃機において、前記弾性板に前記中間体よりも外側に突出する延出部を設けたことを特徴とする乗客コンベア用オイルパン清掃機。
【発明の詳細な説明】
【技術分野】
【０００１】
本発明は、乗客コンベアの下側に沿って延設されたオイルパン上に堆積した塵埃を清掃するための乗客コンベア用オイルパン清掃機に関する。
【背景技術】
【０００２】
従来、乗客コンベアはデパート等で来客サービスのために設けられる場合が多かったが、最近は交通機関の発達により、駅のホームヘの乗客の昇降のサービスのためにも多く設置されるようになり、多くの人が利用している。このように、多くの人が利用する乗客コンベアにおいて、人の衣類等から落ちた挨や風で運ばれた塵等が乗客コンベアの踏段の隙間等から乗客コンベアの内部に侵入し、乗客コンベアの下側に沿って延設されたオイルパン上に長期間に亘って堆積し、多量に堆積した塵挨が乗客コンベアの故障原因になったり、何らかの火花や発熱あるいは投げ捨て煙草の残火によって引火して発火する恐れがあった。  
そこで、従来は乗客コンベアの約半数の螺子止めされた踏段を取り外して、作業員が箒やブラシでオイルパン上に堆積した塵挨を掃き落として清掃していた。エスカレーターの内部の狭い空間内での上記清掃作業は挨塗れ、油塗れになるため、作業員の心理的苦痛を増大させるばかりでなく、重量の重い踏段を取り外し、その後、取り付ける作業は大変な重労働であり、２人〜数人の作業員がこの作業のために半日〜１日を費やして実施していた。
【０００３】
かかる作業員の清掃作業における重負担を緩和するためのオイルパン清掃装置の従来例として、無端状に連結された踏段鎖の踏段前輪軸に清掃工具を取り付け、この清掃工具を乗客コンベアと共に周回走行させることにより、容易にオイルパン上に堆積した塵挨を掻き集めるようにした乗客コンベアの清掃機が提案されている（例えば、特許文献１参照）。
【０００４】
図１２は従来の乗客コンベアの清掃機の構成を示す斜視図、図１３は該清掃機の使用状態を示す側面図である。図１２に示すように、従来の乗客コンベアの清掃機２３は、剛体の底板２４ａと、底板２４ａの両側端に対を成して立設された側板２４ｂと、底板２４ａの後端に立設された後板２４ｃと、後板２４ｃの側端部にボルトで固定された支持部材２４ｄと、底板２４ａの前端に蝶番２５ａによって回動自在に設けられた塵掻き板２５とから構成される。この乗客コンベアの清掃機２３を使用する時は、図１３に示すように、作業員が機械室２６で踏段鎖２７下部の踏段２８の前輪２９の軸に回動自在に支持部材２４ｄを取り付け、ターミナルギア３０の駆動力で踏段鎖２７に連結された踏段２８を走行させる。その結果、塵掻き板２５がオイルパン３１に摺動走行し、オイルパン３１に堆積した塵挨を掻き集めることができる。
【０００５】
ここで、オイルパン３１は乗客コンベアの上部反転部から下部反転部にかけて上側のオイルパン３１が下側のオイルパン３１に一部重なる状態で下側から上側に配列した構造をしており、重なり箇所を溶接することにより、継ぎ目から油が漏れ落ちるのを防止しているが、オイルパン３１の中には継ぎ目の重なりが逆に重なった箇所もある。
【０００６】
図１４は該清掃機２３がオイルパン上の逆向き継ぎ目箇所を摺動走行する時の状態を示す側面図である。図１４に示すように、乗客コンベアの清掃機２３の塵掻き板２５は、その縦断面形状の先端部２５ｂをオイルパン３１の厚さより大きい半径を持つ曲面形状とし、またはオイルパン３１と接する先端部から立ち上がる先端前面のオイルパン３１に対する立ち上がり角度βを３０°以上７０°以下とした形状に設計されているため、上述のオイルパン３１の継ぎ目の重なりが逆に重なった箇所においても走行できる。なお、踏段２８進行方向に向かう底板２４ａとオイルパン３１との成す接触角γは３０°以上で、６０°以下となるように底板２４ａの前後方向の長さが設定されている。
【０００７】
このように従来の乗客コンベアの清掃機２３は、無端状に連結された踏段鎖２７の踏段２８の前輪軸に清掃機２３を取り付け、この清掃機２３を乗客コンベアと共に周回走行させることにより、容易にオイルパン３１上に堆積した塵挨を掻き集めることができる。しかも、塵掻き板２５の縦断面形状の先端部２５ｂをオイルパン３１の厚さより大きい半径を持つ曲面形状、またはオイルパン３１と接する先端部から立ち上がる先端前面のオイルパン３１に対する立ち上がり角度βを３０°以上７０°以下にすることにより、オイルパン３１の継ぎ目の重なりが逆に重なった箇所においても走行することができる。
【０００８】
また、他の従来例として、乗客コンベアの下部機械室の床面に清掃装置の清掃体の両端が支持されるガイドレールを設置し、操作ハンドルを介して機械室の奥に位置する清掃体を機械室の手前へと引き出すことにより、乗客コンベア機械室の床面に堆積した塵埃を掻き出すようにした乗客コンベアの清掃装置が提案されている（例えば、特許文献２参照）。
【０００９】
図１５はこのような乗客コンベアの清掃装置の構成を示す斜視図、図１６は該清掃装置の使用状態を示す側面図である。図１５、１６に示すように、乗客コンベアの清掃装置３２は下部機械室３３の床面に設置されるものであり、２つの連結板３４により互いに連結されると共に、コの字状の断面形状を有する一対のガイドレール３５ａ、３５ｂと、ガイドレール３５ａ、３５ｂに移動自在に係合する対のガイド３６ａ、３６ｂと、ガイド３６ａ、３６ｂに両端部が支持される清掃体３７と、この清掃体３７にビスにより取り付けられた可撓性のワイパーブレード３８と、清掃体３７に一端が固定された操作ハンドル３９とから構成されている。この乗客コンベアの清掃装置３２を使用するときは、清掃体３７を下部機械室３３の奥側の連結板３４側に位置させておき、操作ハンドル３９を介して清掃体３７を下部機械室３３の手前側の連結板側へと引き出す。その結果、乗客コンベアの踏段鎖に取り付けられた踏段を取り外すことなく、容易に塵埃を掻き出すことができる。
【特許文献１】特開平９−１８３５８４号公報
【特許文献２】特開２００５−３３０００４７号公報
【発明の開示】
【発明が解決しようとする課題】
【００１０】
しかし、特許文献１に開示された従来の清掃機２３は、オイルパン３１の継ぎ目の重なりが逆に重なった箇所においても走行できるように、その縦断面形状の先端部２５ｂに設けた形状のため、オイルパン３１上の油を含んだ塵埃が硬化していた場合に、その硬化した塵埃まで乗り上げてしまい、塵埃の取りこぼしが生じ、清掃能力が低下するという問題があった。また、このような清掃機２３を特許文献２に開示された清掃装置３２を備えた乗客コンベアに適用しようとすると、図１６に示すように、連結板３４がガイドレール３５ａ、３５ｂのコの字状の内側に設けられて、ガイドレール３５ａ、３５ｂの板厚だけオイルパン３１から浮いているため、塵掻き板２５が連結板３４とオイルパン３１との隙間に入り込んでしまい、清掃機２３や清掃装置３２あるいは乗客コンベア等が破損する虞がある。そのため、上記清掃機２３はこの種の清掃装置３２を備えた乗客コンベアに使用することができず、汎用性が低いという問題があった。
【００１１】
本発明は、このような従来技術の実情に鑑みてなされたもので、その目的は、清掃能力が高く、汎用性も高い乗客コンベア用オイルパン清掃機を提供することにある。
【課題を解決するための手段】
【００１２】
この目的を達成するために、本発明に係る乗客コンベア用オイルパン清掃機は、無端状に連結された踏段鎖に踏段が取り付けられた無端状コンベアを周回走行させることにより、前記踏段上の乗客を搬送する乗客コンベアの下側に沿って延設されたオイルパン上に堆積した塵埃を清掃するための乗客コンベア用オイルパン清掃機において、板状の中間体と、前記中間体の一端に回動可能に設けられた支持部材と、前記中間体の他端に設けられたくの字型形状の弾性板と、前記弾性板の下端部の両側端に設けられた起立片とを備え、前記支持部材を前記踏段に取り付けると共に、前記中間体を前記踏段の進行方向に向って延在させ、かつ前記弾性板の下端部を前記オイルパンに摺接させて走行させるようにしたことを特徴としている。
【００１３】
このように構成された乗客コンベア用オイルパン清掃機では、くの字型形状の弾性板をオイルパンに摺動走行させることにより、油を含んだ塵埃が硬化した場合においても、塵埃の取りこぼしが生じることなく、塵埃を掻き集めることができる。また、くの字型形状の弾性板はオイルパン上の段差に接触すると折れ曲がり、オイルパン上の段差を乗り越えた後再び元の形状に戻ることができるので、例えば、オイルパン上に継ぎ目が逆に重なった場合に生じる段差を乗り越えることができる。その結果、乗客コンベア用オイルパン清掃機やオイルパンあるいは乗客コンベア等の損傷を防ぎつつオイルパン清掃を円滑に行うことができる。しかも、乗客コンベアに機械室床面の清掃装置等が備えられている場合においても、弾性板下端の両側端に設けられた起立片が機械室床面の清掃装置等の連結板と接触することにより、弾性板が折れ曲がり、隙間を乗り越えることができる。したがって、乗客コンベアにこの種の清掃装置等が備えられている場合でも使用することができる。
【００１４】
また、本発明に係る乗客コンベア用オイルパン清掃機は、起立片が弾性体の下端部の両側端を折り曲げて形成した折り返し部であることを特徴としている。
【００１５】
このように構成された乗客コンベア用オイルパン清掃機では、弾性体の下端部の両側端を折り曲げ、簡単に起立片を設けることができるので、溶接等により弾性体の下端部の両側端に起立片を設けることに比して、上述の段差を乗り越える際に受ける衝撃による起立片の取り外れ等の破損を抑えることができる。
【００１６】
また、本発明に係る乗客コンベア用オイルパン清掃機は、支持部材を踏段の幅寸法の半分以下に設定し、支持部材を１台の踏段に対して複数取り付け可能にしたことを特徴としている。
【００１７】
このように構成された乗客コンベア用オイルパン清掃機では、該オイルパン清掃機を一台の踏段に複数取り付けることにより、オイルパン上の塵埃等による左右異なる起伏に対して、より追従性が増し、ゴミの取りこぼしを減らすことができる。
【００１８】
また、本発明に係る乗客コンベア用オイルパン清掃機は、弾性板に中間体よりも外側に突出する延出部を設けたことを特徴としている。
【００１９】
このように構成された乗客コンベア用オイルパン清掃機では、弾性板に中間体よりも外側に突出する延出部を設け、踏段の前輪を進行方向に案内する案内レール下方のオイルパン上に弾性板の延出部を摺接させることにより、案内レール下方の塵埃も清掃することができる。
【発明の効果】
【００２０】
本発明の乗客コンベア用オイルパン清掃機は、弾性板の下端部をオイルパンに摺接させつつ走行させることにより、油を含んだ塵埃が硬化した場合においても、塵埃の取りこぼしが生じることなく、塵埃を掻き集めることができ、清掃能力を高めることができる。また、オイルパン上の継ぎ目が逆に重なった段差に対して、くの字型形状の弾性板が折れ曲がり、段差を乗り越えることができる。しかも、弾性板下端の両側端に設けられた起立片により、乗客コンベアに機械室床面の清掃装置等が備えられている場合に生じる隙間においても、弾性体がその隙間に入り込むことを防ぎつつ隙間を乗り越えることができる。その結果、乗客コンベアにこの種の清掃装置等が備えられている場合でも使用することができ、汎用性を高めることができる。
【発明を実施するための最良の形態】
【００２１】
発明の実施の形態について図面を参照して説明すると、図１は本発明のオイルパン清掃機が適用される乗客コンベア全体の概略構成図、図２は図１に示す乗客コンベアの上部機械室の説明図、図３は本発明の第１実施形態に係るオイルパン清掃機の構成を示す斜視図、図４は該オイルパン清掃機がオイルパンの逆向き継ぎ目箇所の段差を走行する時の状態を示す側面図、図５は該オイルパン清掃機の他の取付状態を示す側面図である。
【００２２】
図１に示すように、乗客コンベア１は、無端状に連結した踏段鎖２と、踏段鎖２に連結された複数台の踏段３と、踏段鎖２の上側に備えられた欄干４と、踏段鎖２の下側に沿って延設されたオイルパン５と、この踏段鎖２を移動させることで踏段３を循環走行させるためのターミナルギヤ６と、上下の乗降口にそれぞれ設けられた乗降口床板７と、上側の乗降口下方に設けられた上部機械室８Ｈと、下側の乗降口下方に設けられた下部機械室８Ｌとを備えている。また、図２に示すように、踏段３は、踏段枠（ステップフレーム）３Ａと、踏み体（ステップトレッド）３Ｂと、ライザー３Ｃと、踏段鎖２に連結された前輪３Ｄと、後輪３Ｅとを備え、ターミナルギヤ６により、上下の乗降口床板７下方の上部機械室８Ｈ、下部機械室８Ｌ内で走行方向を反転し、循環走行する。この乗客コンベア１の踏段３の踏み体３Ｂ上面後部に後述するオイルパン清掃機の支持部材が取り付けられる。
【００２３】
図３に示すように、本発明の第１実施形態例に係るオイルパン清掃機９は、板状の中間体１０と、中間体１０の一端に回動可能に設けられた支持部材１１と、中間体１０の他端に設けられた鈍角のくの字型形状の弾性板１２と、弾性板１２の下端部の両側端に設けられた折り返し部１３とを備えている。ここで、弾性板１２は、厚さが薄く、オイルパン上面にこびりついた塵埃を剥がすのに十分な硬度を有し、かつ折れ曲がりにより破損しない弾性を有するプラスチック等から作られる。また、折り返し部１３は起立片を構成するものであり、この折り返し部１３は弾性板１２の下端部の両側端を三角形状に折り返すことで一体形成されている。
【００２４】
このオイルパン清掃機９を使用する時には、下部機械室８Ｌでオイルパン清掃機９の支持部材１１を踏段３の踏み体３Ｂの上面後部に取り付け、踏段３を下り走行させることにより、オイルパン清掃機９が取り付けられた踏段３を上部機械室８Ｈの水平部オイルパン５Ｈの位置に移動させる。このとき、オイルパン清掃機９の中間体１０は、支持部材１１に回動支持されているため、オイルパン５上の塵埃Ｗを乗り越えて移動し、ゴミの収集は行われない。そして、上部オイルパン水平部５Ｈから踏段３を逆転運転させ、オイルパン清掃機９をオイルパン５上で摺接走行させると、弾性板１２がオイルパン５上の塵埃Ｗを掻き集めながら下部オイルパン水平部５Ｌ方向に移動する。
【００２５】
ここで、図４に示すように、オイルパン５上に継ぎ目が逆に重なって段差がある場合、走行中の弾性板１２の下端部がその段差に接触すると、弾性板１２が折れ曲がり、段差を乗り越えた後再び元の形状に戻ることができるので、オイルパン清掃機９やオイルパン５あるいは乗客コンベア１等の損傷を防ぎつつオイルパン５の清掃を円滑に行うことができる。なお、塵埃Ｗを取り残した場合でも、再度オイルパン清掃機９が取り付けられた踏段３を上下の乗降口間で往復走行させることにより、オイルパン５上の塵埃Ｗを下部オイルパン５Ｌ上に集めることができる。最後に、作業者が掻き集めた塵埃Ｗを下部機械室８Ｌで回収する。
【００２６】
以上、踏段を外すことなくオイルパン清掃機９を踏段３の踏み体３Ｂの上面後部に取り付けた場合を説明したが、図５に示すように、支持部材１１は、少なくとも１台以上の踏段３を取り外してできた空間に接する他の踏段３の踏段枠３Ａにおいても着脱可能に取り付けることができる。これにより、踏み体３Ｂとオイルパン５との間隔ｈ３が小さい場合、オイルパン５とオイルパン清掃機９とのなす角αが鋭角になるのを抑え、清掃能力の低下を防ぐことができる。しかも、踏段３を少なくとも１台以上外した空間に塵埃Ｗを収集することによって、掻き集めた塵埃Ｗによる踏段３の汚れを最小限にすることができる。
【００２７】
図６は前述した第１実施形態例に係るオイルパン清掃機が適用される他の乗客コンベア全体の概略構成図、図７は該オイルパン清掃機が該乗客コンベアの隙間を走行する時の状態を示す側面図である。
【００２８】
図６に示すように、この乗客コンベア１４は、上部機械室８Ｈと下部機械室８Ｌにそれぞれ清掃装置１５が備えられている。これら清掃装置１５は図１５、１６を用いて先に説明したものと基本的に同じであり、上部機械室８Ｈの水平部オイルパン５Ｈと下部機械室８Ｌの水平部オイルパン５Ｌに沿って、それぞれコの字状の断面形状を有する一対のガイドレール１６が左右に間隔を置いて設置されている。図７に示すように、左右のガイドレール１６の先端内側上に両者を繋ぐ連結板１７を有しているため、ガイドレール１６の厚さ分だけオイルパン５と連結板１７とに高さｈ１の隙間Ｓが生じている。このようなことを考慮して、前述した折り返し部１３の先端の高さｈ２は隙間Ｓの高さｈ１よりも高く設計されている。
【００２９】
このような乗客コンベア１４に生じる隙間Ｓをオイルパン清掃機９が走行する場合、弾性板１２の折り返し部１３の先端は連結板１７の側面に接触し、連結板１７下方に入り込まないので、折り返し部１３の先端を支点としてくの字型形状の弾性板１２が折れ曲がり、連結板１７を乗り越えることができる。したがって、乗客コンベア１４においてもオイルパン清掃機９を使用することができる。
【００３０】
なお、前述した第１実施形態例において、起立片は弾性板１２の下端部の両側端を折り曲げて一体形成した折り返し部としたが、弾性板１２とは別体の起立片を溶接等により後付けしてもよい。また、起立片先端の高さｈ２が隙間Ｓの高さｈ１より高ければ、起立片の形状は三角形状でなくてもよい。
【００３１】
図８は本発明の第２実施形態例に係るオイルパン清掃機の構成を示す斜視図である。
【００３２】
図８に示すように、本発明の第２実施形態例に係るオイルパン清掃機１８は、支持部材１１と中間体１０および折り返し部１３が設けられた弾性板１２の幅寸法を踏段３の幅寸法の半分以下に設定し、オイルパン清掃機１８を１台の踏段３に対して２つ設けている。また、中間体１０の中央に板状のウェート１９をそれぞれ設けている。
【００３３】
このオイルパン清掃機１８は、オイルパン５上に製作・取付誤差に起因して凹凸が生じた場合、あるいはオイルパン５の幅方向にわたり異なる大きさをもつ硬化した塵埃Ｗが存在した場合、２つの各オイルパン清掃機１８が各々独立して塵埃Ｗを掻き集めることによって、より追従性が増し、塵埃Ｗの取りこぼしを減らすことができる。また、多量の塵埃Ｗがあった場合や、なんらかの原因でオイルパン５上に障害物があった場合に、オイルパン清掃機１８のどちらか１つが破損したとしても、破損したほうのオイルパン清掃機１８の交換ですむ。また、各中間体１０の中央部の板状のウェート１９を重いものに変えることで各オイルパン清掃機１８の楔効果を大きくすることができるので、清掃能力を高めることができる。
【００３４】
なお、上記の第２実施形態例では、オイルパン清掃機１８を１台の踏段３に２つ取り付けた場合について説明したが、オイルパン清掃機１８を１台の踏段３に３つ以上取り付けてもよい。
【００３５】
図９は本発明の第３実施形態例に係るオイルパン清掃機の構成を示す斜視図、図１０は本発明の第３実施形態例に係るオイルパン清掃機の使用時の状態を示す断面正面図である。
【００３６】
図９に示すように、本発明の第３実施形態例に係るオイルパン清掃機２０は、弾性板１２に中間体１０よりも外側に突出する延出部１２ａを設けており、この延出部１２ａに折り返し部１３が形成されている。
【００３７】
ここで、図１０に示すように、一般に乗客コンベア１、１４の踏段鎖２に連結された踏段３の前輪３Ｄ下には、前輪３Ｄを案内する案内レール２１用のレールブラケット２２があるため、レールブラケット２２下方のオイルパン５上の清掃をすることができない。そこで、弾性板１２に中間体１０よりも外側に突出する延出部１２ａを設けたオイルパン清掃機１８でオイルパン５上を摺動走行させることにより、レールブラケット２２下方のオイルパン５上を清掃することができる。このとき、弾性板１２は、レールブラケット２２とオイルパン５上の間の間隔に入る高さとする。
【００３８】
図１１は本発明の第４実施形態例に係るオイルパン清掃機の構成を示す斜視図である。
【００３９】
上記の第３実施形態例では、オイルパン清掃機２０を１台の踏段３に１つだけ取り付けているが、図１１に示すように、オイルパン清掃機２０を１台の踏段３に２つ取り付けてもよいし、３つ以上取り付けてもよい。ただし、その場合において、隣接する各オイルパン清掃機２０間には、弾性板１２に延出部１２ａを設けてもよいし、設けなくてもよい。また、弾性板１２の延出部１２ａとして、弾性板１２に別の部材を溶接等で設けてもよい。
【図面の簡単な説明】
【００４０】
【図１】本発明のオイルパン清掃機が適用される乗客コンベア全体の概略構成図である。
【図２】図１に示す乗客コンベアの上部機械室の説明図である。
【図３】本発明の第１実施形態に係るオイルパン清掃機の構成を示す斜視図である。
【図４】該オイルパン清掃機がオイルパンの逆向き継ぎ目箇所の段差を走行する時の状態を示す側面図である。
【図５】該オイルパン清掃機の他の取付状態を示す側面図である。
【図６】本発明の第１実施形態例に係るオイルパン清掃機が適用される他の乗客コンベア全体の概略構成図である。
【図７】該オイルパン清掃機が該乗客コンベアの隙間を走行する時の状態を示す側面図である。
【図８】本発明の第２実施形態例に係るオイルパン清掃機の構成を示す斜視図である。
【図９】本発明の第３実施形態例に係るオイルパン清掃機の構成を示す斜視図である。
【図１０】本発明の第３実施形態例に係るオイルパン清掃機の使用時の状態を示す断面正面図である。
【図１１】本発明の第４実施形態例に係るオイルパン清掃機の構成を示す斜視図である。
【図１２】従来の乗客コンベアの清掃機の構成を示す斜視図である。
【図１３】該清掃機の使用状態を示す側面図である。
【図１４】該清掃機がオイルパン上の逆向き継ぎ目箇所を摺動走行する時の状態を示す側面図である。
【図１５】乗客コンベアの清掃装置の構成を示す斜視図である。
【図１６】該清掃装置の使用状態を示す側面図である。
【符号の説明】
【００４１】
１  乗客コンベア
２  踏段鎖
３  踏段
３Ａ  踏段枠
３Ｂ  踏み体
３Ｃ  ライザー
３Ｄ  前輪
３Ｅ  後輪
４  欄干
５  オイルパン
６  ターミナルギヤ
７  乗降口床板
８Ｈ  上部機械室
８Ｌ  下部機械室
９  オイルパン清掃機
１０  中間体
１１  支持部材
１２  弾性板
１２ａ  延出部
１３  折り返し部
１４  他の乗客コンベア
１５  清掃装置
１６  ガイドレール
１７  連結板
１８  オイルパン清掃機
１９  ウェート
２０  オイルパン清掃機
２１  案内レール
２２  レールブラケット
【図１】
2010006558.tif 000003
【図２】
2010006558.tif 000004
【図３】
2010006558.tif 000005
【図４】
2010006558.tif 000006
【図５】
2010006558.tif 000007
【図６】
2010006558.tif 000008
【図７】
2010006558.tif 000009
【図８】
2010006558.tif 000010
【図９】
2010006558.tif 000011
【図１０】
2010006558.tif 000012
【図１１】
2010006558.tif 000013
【図１２】
2010006558.tif 000014
【図１３】
2010006558.tif 000015
【図１４】
2010006558.tif 000016
【図１５】
2010006558.tif 000017
【図１６】
2010006558.tif 000018